(57)【要約】【課題】遊技領域を有効に活用することが可能な遊技機を提供する。【解決手段】遊技盤５の前側の遊技領域に、複数の特定入球口４５，４６を含む入球口と、遊技球が通過可能な通過口５１と、遊技球を複数の特定入球口４５，４６側にそれぞれ案内する複数の遊技球案内部５２，５３と、通過口５１を通過した遊技球を複数の遊技球案内部５２，５３に振り分ける振り分け手段６０と、入球口に入球することなく遊技領域の下部に流下した遊技球を遊技盤５の後側に案内するアウト口５４〜５６，９１，９２とを設けた遊技機で、複数の特定入球口４５，４６を遊技領域の下縁部近傍に配置し、アウト口は、遊技球案内部５２，５３により案内されたにも拘わらず特定入球口４５，４６への入球を逃した遊技球を遊技盤５の後側に案内する第１アウト口５４〜５６を含み、複数の特定入球口４５，４６の左右両側に第１アウト口５４〜５６を夫々配置する。【選択図】図５
2017113392.tif 000002
【特許請求の範囲】
【請求項１】
遊技盤の前側の遊技領域に、
複数の特定入球口を含む入球口と、
遊技球が通過可能な通過口と、
遊技球を前記複数の特定入球口側にそれぞれ案内する複数の遊技球案内部と、
前記通過口を通過した遊技球を前記複数の遊技球案内部に振り分ける振り分け手段と、
前記入球口に入球することなく前記遊技領域の下部に流下した遊技球を前記遊技盤の後側に案内するアウト口とを設けた
遊技機において、
前記複数の特定入球口を前記遊技領域の下縁部近傍に配置し、
前記アウト口は、前記遊技球案内部により案内されたにも拘わらず前記特定入球口への入球を逃した遊技球を前記遊技盤の後側に案内する第１アウト口を含み、
前記複数の特定入球口の左右両側に前記第１アウト口を夫々配置した
ことを特徴とする遊技機。
【請求項２】
前記アウト口は、複数の前記第１アウト口よりなる第１アウト口列に対する左右両側に配置される第２アウト口を含み、
前記遊技領域における前記第２アウト口と前記第１アウト口列との間に、前記第２アウト口側から前記特定入球口側への遊技球の移動を規制する規制手段を設けた
ことを特徴とする請求項１に記載の遊技機。
【請求項３】
前記遊技領域内に振り分け入球領域を設け、
前記振り分け入球領域内に、前記振り分け手段、前記遊技球案内部、前記特定入球口及び前記第１アウト口を配置し、
前記通過口以外からの前記振り分け入球領域への遊技球の進入を阻止する進入阻止手段を設け、
前記進入阻止手段により前記規制手段を構成した
ことを特徴とする請求項２に記載の遊技機。
【請求項４】
前記振り分け手段、前記遊技球案内部、前記特定入球口及び前記第１アウト口を備えた特定ユニットと、前記遊技領域の前記下縁部を形成するレール部材とを前記遊技盤に対して夫々着脱自在に装着し、
前記レール部材は、前記第２アウト口を形成する第２アウト口部を備えた
ことを特徴とする請求項２又は３に記載の遊技機。
【請求項５】
前記振り分け手段、前記遊技球案内部、前記特定入球口及び前記第１アウト口を備えた特定ユニットを前記遊技盤に対して着脱自在に装着し、
前記特定ユニットは、前記第２アウト口を形成する第２アウト口部を備えた
ことを特徴とする請求項２又は３に記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機には、複数の特定入球口と、遊技球が通過可能な通過口と、遊技球を各特定入球口側にそれぞれ案内する複数の遊技球案内部と、通過口を通過した遊技球を複数の遊技球案内部に振り分ける振り分け手段とを有する振り分け入球口手段を備えたものがある（特許文献１参照）。特許文献１に記載のパチンコ機では、一対の始動入賞口（特定入球口）は夫々独立した入球口を構成しており、振り分け手段により振り分けられた遊技球は高い確率で始動入賞口に入賞するものの、その確率は１００％ではなく、始動入賞口への入賞を逃した遊技球は所定経路を経て下流側に流下するようになっている。
ところで、最近では画像表示手段の大画面化や大型の可動演出体の採用などにより遊技領域が圧迫され、例えば上述した振り分け入球口手段等は遊技領域の下部側の極めて限られたスペースに配置せざるを得ない状況となっている。
【先行技術文献】
【特許文献】
【０００３】
【特許文献１】特開２０１４−１５１０４６号公報
【発明の概要】
【発明が解決しようとする課題】
【０００４】
しかしながら、遊技領域の最下部にはいわゆるアウト球を遊技盤の後側に案内するためのアウト口を設ける必要があるため、従来は特定入球口の配置位置をアウト口の上側までしか下げることができず、限られた遊技領域の有効活用という点で必ずしも十分ではなかった。
本発明は上記事情に鑑みてなされたものであり、遊技領域を有効に活用することが可能な遊技機を提供することを目的とする。
【課題を解決するための手段】
【０００５】
本発明は、遊技盤５の前側の遊技領域１５に、複数の特定入球口４５，４６を含む入球口２９，４５，４６，４７，４９と、遊技球が通過可能な通過口５１と、遊技球を前記複数の特定入球口４５，４６側にそれぞれ案内する複数の遊技球案内部５２，５３と、前記通過口５１を通過した遊技球を前記複数の遊技球案内部５２，５３に振り分ける振り分け手段６０と、前記入球口２９，４５，４６，４７，４９に入球することなく前記遊技領域１５の下部に流下した遊技球を前記遊技盤５の後側に案内するアウト口５４〜５６，９１，９２とを設けた遊技機において、前記複数の特定入球口４５，４６を前記遊技領域１５の下縁部近傍に配置し、前記アウト口は、前記遊技球案内部５２，５３により案内されたにも拘わらず前記特定入球口４５，４６への入球を逃した遊技球を前記遊技盤５の後側に案内する第１アウト口５４〜５６を含み、前記複数の特定入球口４５，４６の左右両側に前記第１アウト口５４〜５６を夫々配置したものである。
また、前記アウト口は、複数の前記第１アウト口５４〜５６よりなる第１アウト口列に対する左右両側に配置される第２アウト口９１，９２を含み、前記遊技領域１５における前記第２アウト口９１，９２と前記第１アウト口列との間に、前記第２アウト口９１，９２側から前記特定入球口４５，４６側への遊技球の移動を規制する規制手段６６，６７を設けてもよい。この場合、前記遊技領域１５内に振り分け入球領域６９を設け、前記振り分け入球領域６９内に、前記振り分け手段６０、前記遊技球案内部５２，５３、前記特定入球口４５，４６及び前記第１アウト口５４〜５６を配置し、前記通過口５１以外からの前記振り分け入球領域６９への遊技球の進入を阻止する進入阻止手段６６，６７を設け、前記進入阻止手段６６，６７により前記規制手段を構成してもよい。
また、前記振り分け手段６０、前記遊技球案内部５２，５３、前記特定入球口４５，４６及び前記第１アウト口５４〜５６を備えた特定ユニット１７と、前記遊技領域１５の前記下縁部を形成するレール部材３５とを前記遊技盤５に対して夫々着脱自在に装着し、前記レール部材３５が、前記第２アウト口９１，９２を形成する第２アウト口部９３，９４を備えてもよいし、前記特定ユニット１７が第２アウト口部９３，９４を備えてもよい。
【発明の効果】
【０００６】
本発明によれば、遊技領域を有効に活用することが可能である。
【図面の簡単な説明】
【０００７】
【図１】本発明の第１の実施形態におけるパチンコ機の全体斜視図である。
【図２】同パチンコ機の遊技盤の正面図である。
【図３】同パチンコ機の遊技盤、レール部材、中央始動入賞ユニットの分解斜視図である。
【図４】同パチンコ機の中央始動入賞ユニットの分解斜視図である。
【図５】同パチンコ機の中央始動入賞ユニット及びその近傍の正面図である。
【図６】同パチンコ機の中央始動入賞ユニット及びその近傍の平面断面図である。
【図７】同パチンコ機の中央始動入賞ユニット及びその近傍の正面断面図である。
【図８】同パチンコ機の中央始動入賞ユニット及びその近傍の平面断面図である。
【図９】図５におけるＡ矢視断面図である。
【図１０】図５におけるＢ矢視断面図である。
【図１１】図５におけるＣ矢視断面図である。
【図１２】図５におけるＤ矢視断面図である。
【図１３】振り分け手段による振り分け動作の説明図である。
【図１４】本発明の第２の実施形態におけるパチンコ機の遊技盤、レール部材、中央始動入賞ユニットの分解斜視図である。
【発明を実施するための最良の形態】
【０００８】
以下、本発明の実施形態を図面に基づいて詳述する。図１〜図１３は本発明をパチンコ機に採用した第１の実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【０００９】
内枠４には、その上部側に遊技盤５（図２）等が、下部側に発射手段６（図２）等が夫々配置されており、その内枠４の前側には、遊技盤５の前側に対応するガラス扉７と、そのガラス扉７の下側で発射手段６等の前側に対応する下部開閉扉８とがヒンジ３と同じ側のヒンジ９により開閉及び着脱自在に枢着されている。ガラス扉７には、遊技盤５の前面側の遊技領域１５に対応する透明窓１０が設けられ、また下部開閉扉８には、払い出し手段（図示省略）から払い出された遊技球を貯留して発射手段６に供給する上皿１１、その上皿１１が満杯のときに余剰球を貯留する下皿１２、発射手段６を作動させるために操作する発射ハンドル１３等が設けられている。なお、ガラス扉７と下部開閉扉８とを一体化して一つの扉体としてもよい。
【００１０】
遊技盤５は例えばベニヤ板により構成されており、図２に示すように、その前面側には発射手段６から発射された遊技球を案内するガイドレール１４が環状に装着されると共に、そのガイドレール１４の内側の遊技領域１５に、中央表示ユニット１６、中央始動入賞ユニット１７、右始動入賞ユニット１８、大入賞ユニット１９、普通入賞ユニット２０等のユニット部品の他、多数の遊技釘（図示省略）が配置されている。また、それら複数のユニット部品１６〜２０上に、画像表示手段２１、普通図柄表示手段２２、普通保留個数表示手段２３、第１特別図柄表示手段２４ａ、第２特別図柄表示手段２４ｂ等の各種表示手段の他、普通図柄始動手段２５、振り分け始動入賞手段２６、開閉式始動入賞手段２７、大入賞手段２８、複数（ここでは３個）の普通入賞口２９等が設けられている。なお、画像表示手段２１は、例えば液晶表示手段で、第１，第２演出図柄表示手段３１ａ，３１ｂ、第１，第２特別保留個数表示手段３２ａ，３２ｂ等を構成している。
【００１１】
ガイドレール１４は、遊技領域１５の外周側を取り囲むように配置され、例えば３つの第１〜第３レール部材３３〜３５等により形成されている。第１レール部材３３は例えば金属製で、遊技盤５の下部左側から左縁部略中央、上縁部略中央を経て右上部まで正面視略円弧状に配置され、遊技盤５の前面側に略一定幅で立設されている。第２レール部材３４も例えば金属製で、遊技盤５の左上部から左下部にかけて第１レール部材３３の内側に並行するように略円弧状に配置され、遊技盤５の前面側に略一定幅で立設されている。これら第１レール部材３３と第２レール部材３４とで挟まれた部分が、発射手段６によって発射された遊技球を遊技領域１５に案内する発射案内通路３６となっている。
【００１２】
第３レール部材３５は例えば合成樹脂製で、第１レール部材３３の右上部側端部と第２レール部材３４の左下部側端部とを接続するように、遊技盤５の右縁部と下縁部とに沿って前後方向略一定幅に形成され、遊技盤５の前面側に着脱自在に装着されており、その遊技領域１５側のレール面３５ａがガイドレール１４を構成している。なお、第３レール部材３５は例えばレール長手方向に沿って複数に分割されていてもよい。
【００１３】
中央表示ユニット１６は、画像表示手段２１の表示枠を構成するもので、例えば遊技領域１５の左右方向略中央における上部側に配置されており、遊技盤５の裏側に固定される画像表示手段２１に対応して遊技盤５の前側に着脱自在に固定されている。この中央表示ユニット１６は、遊技盤５の前面側に当接し且つ固定ねじ等により遊技盤５に固定される前面装着板３９と、画像表示手段２１等に対応する内部領域１６ａを略取り囲むように例えば前面装着板３９の前側に突設される表示枠４０とを例えば一体に備えており、発射手段６により発射案内通路３６を経て遊技領域１５の上部側に打ち込まれた遊技球は、表示枠４０の頂部で左右に振り分けられ、中央表示ユニット１６の左側の左流下経路４１ａと右側の右流下経路４１ｂとの何れかを流下するようになっている。
【００１４】
また、例えば表示枠４０上には、普通図柄表示手段２２、普通保留個数表示手段２３、第１特別図柄表示手段２４ａ、第２特別図柄表示手段２４ｂ等の表示手段の他、例えば左側部には左流下経路４１ａを流下する遊技球が入球可能なワープ入口４２が、画像表示手段２１の前側下部には、ワープ入口４２に入球した遊技球を左右方向に自由に転動させて左右方向中央の中央落下部４３又はその左右両側から落下させるステージ４４が夫々設けられている。
【００１５】
普通図柄表示手段２２は、普通図柄を変動表示するためのもので、例えば「○」「×」の２種類の普通図柄に対応する２個の発光体（例えばＬＥＤ）により構成されており、通過ゲート等よりなる普通図柄始動手段２５が遊技球を検出することを条件にそれら２つの発光体が所定時間交互に点滅して、普通図柄始動手段２５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。普通図柄が変動後に当たり態様で停止すると普通利益状態が発生し、開閉式始動入賞手段２７が所定時間、所定回数だけ開放する。
【００１６】
なお、普通図柄始動手段２５による遊技球検出時に取得された当たり判定乱数値等の普通乱数情報は、予め定められた上限保留個数、例えば４個を限度として記憶され、普通図柄表示手段２２による図柄変動が開始される毎に順次消化される。なお、普通乱数情報の記憶個数（以下、普通保留個数という）は普通保留個数表示手段２３によって遊技者に報知される。
【００１７】
第１特別図柄表示手段２４ａは、１個又は複数個、例えば１個の第１特別図柄を変動表示可能な７セグメント式等の表示手段により構成されており、振り分け始動入賞手段２６の第１始動入賞口４５に遊技球が入賞することに基づいて第１特別図柄を所定時間変動表示して、第１始動入賞口４５への入賞時に取得された大当たり判定乱数値が予め定められた大当たり判定値と一致する場合には所定の大当たり態様で、それ以外の場合には外れ態様で停止するようになっている。
【００１８】
第２特別図柄表示手段２４ｂは、１個又は複数個、例えば１個の第２特別図柄を変動表示可能な７セグメント式等の表示手段により構成されており、振り分け始動入賞手段２６の第２始動入賞口４６と開閉式始動入賞手段２７との何れかに遊技球が入賞することに基づいて第２特別図柄を所定時間変動表示して、それら第２始動入賞口４６，開閉式始動入賞手段２７への入賞時に取得された大当たり判定乱数値が予め定められた大当たり判定値と一致する場合には所定の大当たり態様で、それ以外の場合には外れ態様で停止するようになっている。
【００１９】
第１特別図柄と第２特別図柄との何れかが変動後に大当たり態様で停止すると大当たり状態が発生し、大入賞手段２８が例えば複数種類の開放パターンの何れかに従って開放する。第１，第２特別図柄は、例えば数字図柄等ではなく、それ自体としては特別な意味を持たない線と点の組み合わせ等よりなる複数種類の図柄で構成され、それらの図柄のうちの１又は複数が大当たり態様、それ以外が外れ態様に設定されている。
【００２０】
なお、第１始動入賞口４５への遊技球入賞時に取得された大当たり判定乱数値等の第１特別乱数情報は、予め定められた上限保留個数、例えば４個を限度として記憶され、第１特別図柄表示手段２４ａによる図柄変動が開始される毎に順次消化される。同様に、第２始動入賞口４６及び開閉式始動入賞手段２７への遊技球入賞時に取得された大当たり判定乱数値等の第２特別乱数情報は、予め定められた上限保留個数、例えば４個を限度として記憶され、第２特別図柄表示手段２４ｂによる図柄変動が開始される毎に順次消化される。なお、第１，第２特別乱数情報の記憶個数（以下、第１，第２特別保留個数という）は、夫々第１，第２特別保留個数表示手段３２ａ，３２ｂによって遊技者に報知される。
【００２１】
本実施形態では、大当たり状態中には第１，第２特別図柄表示手段２４ａ，２４ｂの図柄変動を開始しない他、第１，第２特別図柄表示手段２４ａ，２４ｂの何れか一方の図柄変動中には他方の図柄変動を開始せず、第１特別図柄表示手段２４ａと第２特別図柄表示手段２４ｂとは夫々の始動入賞手段への入賞順に変動するように制御される。なお、始動入賞手段への入賞順ではなく、第１特別図柄表示手段２４ａと第２特別図柄表示手段２４ｂとのうちの一方（例えば第２特別図柄表示手段２４ｂ）を他方（例えば第１特別図柄表示手段２４ａ）に対して優先的に変動させるようにしてもよいし、第１特別図柄表示手段２４ａと第２特別図柄表示手段２４ｂとを同時変動可能としてもよい。
【００２２】
第１，第２演出図柄表示手段３１ａ，３１ｂは、例えば第１，第２特別図柄表示手段２４ａ，２４ｂによる第１，第２特別図柄の変動表示と時間的に同調して第１，第２演出図柄を変動表示するもので、夫々１個又は複数個、例えば左右方向に３個の第１，第２演出図柄を例えば各種の演出画像と共に画像表示手段２１の表示画面２１ａに変動表示可能に構成されており、第１演出図柄表示手段３１ａは振り分け始動入賞手段２６の第１始動入賞口４５に遊技球が入賞することに基づいて、また第２演出図柄表示手段３１ｂは振り分け始動入賞手段２６の第２始動入賞口４６と開閉式始動入賞手段２７との何れかに遊技球が入賞することに基づいて、夫々第１，第２特別図柄の変動開始と同時に所定の変動パターンに従って第１，第２演出図柄の変動を開始すると共に、第１，第２特別図柄の変動停止と同時に最終停止するように、第１，第２演出図柄を左、右、中等の所定の順序で停止させるようになっている。
【００２３】
なお、上述したように第１，第２特別図柄表示手段２４ａ，２４ｂは同時に変動することはないため、表示画面２１ａ上で第１，第２演出図柄表示手段３１ａ，３１ｂが同時に図柄変動表示を行うことはない。また第１，第２演出図柄表示手段３１ａ，３１ｂは、第１，第２特別図柄の変動内容とは直接関係のない演出を行う場合があってもよい。
【００２４】
第１，第２演出図柄表示手段３１ａ，３１ｂによる第１，第２演出図柄の変動後の停止図柄は、第１，第２特別図柄表示手段２４ａ，２４ｂによる第１，第２特別図柄が大当たり態様で停止する場合には大当たり演出態様となり、第１，第２特別図柄が外れ態様で停止する場合には任意の外れ演出態様となる。第１，第２演出図柄には、例えば「０」〜「９」の１０種類の数字図柄が用いられ、「６・６・６」「７・７・７」等、３つの図柄が全て同じ図柄で揃ったものが大当たり演出態様、少なくとも１つの図柄が異なるものが外れ演出態様となっている。
【００２５】
第１，第２特別保留個数表示手段３２ａ，３２ｂは、第１，第２特別保留個数分の第１，第２保留表示画像Ｘ，Ｙの表示個数により第１，第２特別保留個数を表示するもので、同一の表示画面２１ａの所定箇所、例えば下部側に、第１，第２保留個数分の第１，第２保留表示画像Ｘ，Ｙを互いに上下に対応させて表示するようになっている。
【００２６】
大入賞ユニット１９は、例えば遊技領域１５の下部右側にガイドレール１４に沿って配置され、普通図柄始動手段２５、大入賞手段２８等が設けられている。普通図柄始動手段２５は、遊技球が通過可能な通過ゲートにより構成され、例えば大入賞ユニット１９の右上部に配置されており、左流下経路４１ａを流下してきた遊技球よりも右流下経路４１ｂを流下してきた遊技球の方が圧倒的に高い確率で通過可能となっている。なお、この普通図柄始動手段２５が遊技球を検出することに基づいて普通図柄表示手段２２による普通図柄変動が行われる。
【００２７】
また、大入賞手段２８は、遊技盤５の前面に沿って前向きに開口する横長矩形状の大入賞口４７、この大入賞口４７を遊技球が入賞不可能な閉状態と入賞容易な開状態とに切り替え可能な開閉板４８等を備え、例えば大入賞ユニット１９の下部左側に配置されており、左流下経路４１ａを流下してきた遊技球よりも右流下経路４１ｂを流下してきた遊技球の方が高い確率で入賞可能となっている。なお、大入賞口４７に遊技球が入賞すると、１個入賞当たり所定個数の遊技球が賞球として払い出される。
【００２８】
右始動入賞ユニット１８は、例えば中央表示ユニット１６と大入賞ユニット１９とで上下に挟まれた位置に配置され、開閉式始動入賞手段２７が設けられている。開閉式始動入賞手段２７は、左右両側に開口する一対の入賞口４９、この入賞口４９を遊技球が入賞不可能な閉状態と入賞容易な開状態とに切り替え可能な左右一対の開閉手段５０等を備え、例えば大入賞手段２８の上側で且つ普通図柄始動手段２５の左側に配置されており、左流下経路４１ａを流下してきた遊技球よりも右流下経路４１ｂを流下してきた遊技球の方が高い確率で入賞可能となっている。なお、開閉式始動入賞手段２７に遊技球が入賞することに基づいて、第２特別図柄表示手段２４ｂによる第２特別図柄の変動が行われると共に、１個入賞当たり所定個数の遊技球が賞球として払い出される。
【００２９】
普通入賞ユニット２０は、例えば遊技領域１５の下部左側にガイドレール１４に沿って配置されている。この普通入賞ユニット２０上には、複数（ここでは３個）の普通入賞口２９が、例えばガイドレール１４の内側に沿って略一列状に配列されており、右流下経路４１ｂを流下してきた遊技球よりも左流下経路４１ａを流下してきた遊技球の方が高い確率で入賞可能となっている。なお、普通入賞口２９に遊技球が入賞すると、１個入賞当たり所定個数の遊技球が賞球として払い出される。
【００３０】
中央始動入賞ユニット（特定ユニット）１７は、遊技領域１５の中央下部、即ち中央表示ユニット１６の下側で且つ普通入賞ユニット２０と大入賞ユニット１９との間に配置されており、振り分け始動入賞手段２６等が設けられている。
【００３１】
振り分け始動入賞手段２６は、図５等に示すように、ステージ４４の中央落下部４３の下側に対応して設けられる上下方向の振り分け入口（通過口）５１と、この振り分け入口５１の下側に配置された左右一対の第１，第２始動入賞口（特定入球口）４５，４６と、遊技球を第１始動入賞口４５側に案内する第１遊技球案内通路（遊技球案内部）５２と、遊技球を第２始動入賞口４６側に案内する第２遊技球案内通路（遊技球案内部）５３と、振り分け入口５１を通過した遊技球を第１遊技球案内通路５２と第２遊技球案内通路５３とに振り分ける振り分け手段６０と、第１，第２遊技球案内通路５２，５３により案内されたにも拘わらず第１，第２始動入賞口４５，４６への入賞を逃した遊技球を遊技盤５の後側に案内するための例えば３つの第１アウト口５４〜５６と、第１，第２始動入賞口４５，４６に入賞した遊技球を夫々検出する第１，第２遊技球検出スイッチ５７，５８（図６等）とを備えている。以下、この中央始動入賞ユニット１７の構成を図３〜図１２等を参照しつつ詳細に説明する。
【００３２】
中央始動入賞ユニット１７は、図３，図４等に示すように、第１，第２始動入賞口４５，４６が形成された本体部６１と、この本体部６１の前側に着脱自在に固定される前装着体６２と、本体部６１の後側に着脱自在に固定される後装着体６３とを備え、遊技盤５に形成された前後方向貫通状の装着孔６４に後部側を前側から挿入した状態で遊技盤５に着脱自在に固定されている。装着孔６４は、遊技領域１５の下部側に対応してガイドレール１４に沿って横長状に形成されており、その装着孔６４の左右方向略中央に中央始動入賞ユニット１７が装着されている。
【００３３】
前装着体６２は、遊技盤５の前側に振り分け入口５１、第１，第２遊技球案内通路５２，５３、第１アウト口５４〜５６等を形成するもので、図４〜図１２等に示すように、遊技盤５の前面に対してその前側に遊技球の直径よりも大きな間隔を空けて略平行に配置され且つ裾広がりの正面視略山型に形成された前壁６５と、この前壁６５の左右の縁部に沿って設けられ且つ遊技盤５の前面側まで後向きに延設された一対の側壁６６，６７と、それら側壁６６，６７の後縁部から遊技盤５の前面に沿って外向きに延設された前面装着板６８とを一体に備え、下部側をガイドレール１４に当接又は近接させた状態で、例えば前面装着板６８が遊技盤５にネジ止めにより固定されている。そして、前壁６５と、左右の側壁６６，６７と、下側のガイドレール１４と、後側の本体部６１とで囲まれた空間が振り分け入球領域６９となっている。
【００３４】
前装着体６２には、その少なくとも一部に視認部が設けられている。この視認部は、振り分け始動入賞手段２６内の遊技球の動作、例えば振り分け入口５１への遊技球の入球、振り分け手段６０による遊技球の振り分け、第１，第２始動入賞口４５，４６への遊技球の入賞、第１アウト口５４〜５６への遊技球の排出等を遊技者が視認可能とするためのもので、例えば前壁６５を透明とすることにより形成されている。なお、視認部をスリット等により形成してもよい。
【００３５】
振り分け入球領域６９の上端部には、前壁６５の上縁部と、左右の側壁６６，６７の上縁部とで平面視コの字状に取り囲まれた振り分け入口５１が形成されている。側壁６６，６７は、振り分け入口５１の左右両側に正面視略ハの字状に配置される上部側壁６６ａ，６７ａと、その上部側壁６６ａ，６７ａの下端部から更に左右方向外側に広がりつつ下向きに屈曲する下部側壁６６ｂ，６７ｂとで構成されている。
【００３６】
振り分け入球領域６９内の上部側には、振り分け手段６０を構成する振り分け部材７１が、前後方向の揺動軸７２廻りに揺動自在に配置されており、例えば前壁６５の裏側には揺動軸７２の前端側を支持する軸支持部７２ａが設けられている。振り分け部材７１は、図７等に示すように、振り分け入口５１の下側で左右の上部側壁６６ａ，６７ａの間に配置されており、左側の上部側壁６６ａと振り分け部材７１との間が第１遊技球案内通路５２、右側の上部側壁６７ａと振り分け部材７１との間が第２遊技球案内通路５３となっている。そして、振り分け部材７１は、振り分け入口５１を通過した遊技球を第１遊技球案内通路５２側に案内する第１案内状態（図１３（ａ））と、第２遊技球案内通路５３側に案内する第２案内状態（図１３（ｃ））との間で揺動自在となっている。
【００３７】
振り分け部材７１は、図４，図７等に示すように、揺動軸７２を中心とする正面視略扇形に形成されたベース部７３と、そのベース部７３の前側に突出する振り分け片７４とを一体に備えている。振り分け片７４は、ベース部７３の周方向中央で揺動軸７２からその半径方向に大きく突出する振り分け案内部７４ａと、振り分け案内部７４ａに対して正面視±略９０度又はそれよりも大きな角度位置に配置され且つ例えば揺動軸７２の半径方向に突出する左右一対の揺動案内部７４ｂ，７４ｃとを備えている。なお、揺動軸７２に対する半径方向の突出量は振り分け案内部７４ａよりも揺動案内部７４ｂ，７４ｃの方が短くなっている。
【００３８】
そして、振り分け部材７１が第１案内状態のとき、図１３（ａ）に示すように振り分け片７４の振り分け案内部７４ａが右側に傾いて、第２遊技球案内通路５３の上流側を遊技球通過不能に閉鎖すると共に振り分け入口５１と第１遊技球案内通路５２とを遊技球通過可能に連通させ、また左側の揺動案内部７４ｂが第１遊技球案内通路５２内に突出した状態となる。この状態で振り分け入口５１を通過した遊技球は、図１３（ａ）〜（ｂ）に示すように振り分け案内部７４ａに案内されて第１遊技球案内通路５２側を流下するが、その際に揺動案内部７４ｂを下向きに押すことにより、図１３（ｂ）〜（ｃ）に示すように振り分け部材７１は左向きに揺動して第２案内状態に移行する。
【００３９】
この第２案内状態では、図１３（ｃ）に示すように振り分け部材７１は第１案内状態とは逆に振り分け案内部７４ａが左側に傾いて、第１遊技球案内通路５２の上流側を遊技球通過不能に閉鎖すると共に振り分け入口５１と第２遊技球案内通路５３とを遊技球通過可能に連通させ、また右側の揺動案内部７４ｃが第２遊技球案内通路５３内に突出した状態となる。図示は省略するが、この第２案内状態のときに振り分け入口５１を通過した遊技球は、振り分け案内部７４ａに案内されて第２遊技球案内通路５３側を流下し、その際に揺動案内部７４ｃを下向きに押すことにより、振り分け部材７１は右向きに揺動して第１案内状態（図１３（ａ））に移行する。このように、振り分け部材７１は振り分け入口５１を通過する遊技球を第１遊技球案内通路５２側と第２遊技球案内通路５３側とに交互に振り分けるようになっている。
【００４０】
なお、振り分け手段６０は、振り分け部材７１を中立状態を避けて第１案内状態と第２案内状態との何れかに保持するための中立阻止手段７５を備えている。中立阻止手段７５は、図４，図９等に示すように、振り分け部材７１側の磁石装着部７６ａに装着された可動側磁石７６と、例えば本体部６１側の磁石装着部７７ａに装着された固定側磁石７７とで構成されている。可動側磁石７６と固定側磁石７７とは、振り分け部材７１が第１案内状態と第２案内状態との中間の中立状態のときに、互いのＮ極（又はＳ極）が前後に略対向するように配置されている。
【００４１】
これにより、可動側磁石７６と固定側磁石７７とは互いに反発し、振り分け部材７１は中立状態を避けて第１案内状態と第２案内状態との何れかに保持される。従って、遊技球に押されて第１（又は第２）案内状態から第２（又は第１）案内状態に移行した振り分け部材７１が跳ね返り等により第１（又は第２）案内状態に戻ることを防止できる。なお、可動側磁石７６と固定側磁石７７との間の反発力は、第１，第２遊技球案内通路５２，５３を通過する遊技球による振り分け部材７１の回転力よりは小さくなるように設定されている。また、磁石装着部７６ａは、例えばベース部７３の後側に設けられている。
【００４２】
振り分け入球領域６９内の下部側には、図４，図７，図８，図１０等に示すように、第１，第２遊技球案内通路５２，５３により案内されてきた遊技球を受けて夫々後側の第１，第２始動入賞口４５，４６に案内するための左右一対の第１，第２始動案内部７８，７９が、例えば前壁６５の背面側に一体に設けられている。第１，第２始動案内部７８，７９は、夫々第１，第２遊技球案内通路５２，５３の下流側端部に対してその下側に遊技球１個分以上の隙間を空けて設けられており、例えば前壁６５の背面側から後向き略水平に突設された底板８１と、その底板８１の左右両縁部に沿って設けられ且つ例えば底板８１の上下両側に突出する一対の側板８２と、底板８１の上面側に上向き突出状に設けられた例えば一対の球案内レール８３とを備えている。
【００４３】
一対の球案内レール８３は、左右の側板８２，８２間にそれらと略平行に設けられており、その上縁部が前端側（前壁６５側）から後端側に向けて傾斜角が小さくなる略円弧状に形成されている。第１遊技球案内通路５２側から流下してきた遊技球が第１始動案内部７８の一対の球案内レール８３上に載った場合には、その遊技球は球案内レール８３により後側に案内されて第１始動入賞口４５に入賞する。同様に、第２遊技球案内通路５３側から流下してきた遊技球が第２始動案内部７９の一対の球案内レール８３上に載った場合には、その遊技球は球案内レール８３により後側に案内されて第２始動入賞口４６に入賞する。
【００４４】
また、図７〜図９，図１１等に示すように、左右の第１，第２始動案内部７８，７９間には中央第１アウト口５４が、第１始動案内部７８と左側の下部側壁６６ｂとの間には左第１アウト口５５が、第２始動案内部７９と右側の下部側壁６７ｂとの間には右第１アウト口５６が、夫々下側及び後側に向けて開口状に形成されている。即ち、第１始動入賞口４５の左右両側に左第１アウト口５５と中央第１アウト口５４とが配置され、第２始動入賞口４６の左右両側に中央第１アウト口５４と右第１アウト口５６とが配置されている。また、第１遊技球案内通路５２の下流端側と中央第１アウト口５４及び左第１アウト口５５とはそれぞれ遊技球通過可能に連通しており、また第２遊技球案内通路５３の下流端側と中央第１アウト口５４及び右第１アウト口５６ともそれぞれ遊技球通過可能に連通している。
【００４５】
そして、第１遊技球案内通路５２により案内されてきたにも拘わらず第１始動案内部７８から零れた（第１始動入賞口４５への入賞を逃した）遊技球は、図１３（ｃ）に二点鎖線で示すようにその左側の左第１アウト口５５と右側の中央第１アウト口５４との何れかに落下し、第２遊技球案内通路５３により案内されてきたにも拘わらず第２始動案内部７９から零れた（第２始動入賞口４６への入賞を逃した）遊技球はその左側の中央第１アウト口５４と右側の右第１アウト口５６との何れかに落下する。なお、第１，第２始動案内部７８，７９から零れた遊技球が側板８２と球案内レール８３との間に留まらないよう、図７等に示すように側板８２は球案内レール８３よりも低く且つその上縁側は第１アウト口５４〜５６側が低い傾斜状に形成されている。
【００４６】
また第３レール部材３５のレール面３５ａには、図３，図７〜図９，図１１等に示すように、例えば後ろ下がりの傾斜状に形成された第１アウト球案内部８４が少なくとも第１アウト口５４〜５６の下側に対応して設けられており、第１アウト口５４〜５６に入った遊技球は、夫々第１アウト球案内部８４によって後向きに案内され、装着孔６４を介して遊技盤５の後側に案内されるようになっている。
【００４７】
本体部６１は、図４，図９，図１０等に示すように振り分け入球領域６９の後側に対応して前装着体６２の後側に着脱自在に固定されており、その略全体が装着孔６４内に配置されるようになっている。本体部６１には、振り分け部材７１を収容する振り分け収容部８５と、その振り分け収容部８５の上部前側に配置される入口案内部８６と、振り分け収容部８５の下側の左右両側に配置される第１，第２始動入賞口４５，４６とを備えている。
【００４８】
振り分け収容部８５は、例えば後向き凹入状に形成され、その略中央に揺動軸７２の後端側を支持する軸支持部７２ｂが設けられており、振り分け部材７１はベース部７３をこの振り分け収容部８５内に収容し、振り分け片７４を前側の振り分け入球領域６９内に突出させた状態で支持されている。なお、磁石装着部７７ａは例えば振り分け収容部８５の後側に配置されている。
【００４９】
入口案内部８６は、振り分け入口５１の後側に遊技盤５の前面に沿って設けられており、振り分け入口５１内に入った遊技球を前側の振り分け片７４側に案内する前下がりの傾斜面を備えている。第１，第２始動入賞口４５，４６は、遊技球が１個通過可能な前後方向の貫通孔で、それぞれ第１，第２始動案内部７８，７９の後側に対応する位置に配置されている。なお、本体部６１には、図４，図７等に示すように第１始動入賞口４５と第２始動入賞口４６との間に上向きの凹入部６１ａが形成されており、中央第１アウト口５４に入球した遊技球はその凹入部６１ａを、左第１アウト口５５に入球した遊技球は第１始動入賞口４５の左側を、右第１アウト口５６に入球した遊技球は第２始動入賞口４６の右側を夫々通過して遊技盤５の後側に案内されるようになっている。
【００５０】
後装着体６３は、図４，図８，図１０等に示すように、第１，第２始動入賞口４５，４６の後側に対応する入賞球案内通路８７，８８と、第１，第２遊技球検出スイッチ５７，５８を支持する検出スイッチ装着部８９，９０とを備え、本体部６１の後側に着脱自在に固定されており、その略全体が装着孔６４内に配置されるようになっている。第１，第２遊技球検出スイッチ５７，５８は、例えば遊技球が１個通過可能な検出孔５７ａ，５８ａを一端側に備えた貫通型の近接スイッチにより構成されている。
【００５１】
入賞球案内通路８７，８８は例えば後ろ下がりの傾斜状に形成された前後方向の貫通孔で、その後端側が遊技盤５の背面側で開口している。検出スイッチ装着部８９，９０は、例えば後装着体６３の前側に配置されており、第１，第２遊技球検出スイッチ５７，５８の検出孔５７ａ，５８ａが第１，第２始動入賞口４５，４６と入賞球案内通路８７，８８との間に対応するように、第１，第２遊技球検出スイッチ５７，５８を例えば斜めに支持するようになっている。
【００５２】
第１，第２始動入賞口４５，４６に入賞した遊技球は、夫々第１，第２遊技球検出スイッチ５７，５８の検出孔５７ａ，５８ａを通過した後、入賞球案内通路８７，８８により後向きに案内されて遊技盤５の後側に排出される。
【００５３】
以上説明した中央始動入賞ユニット１７では、左右の側壁６６，６７が、振り分け入口５１以外からの振り分け入球領域６９への遊技球の進入を阻止する進入阻止手段を構成しており、振り分け入口５１を通過した遊技球のみが、振り分け入球領域６９内の第１，第２始動入賞口４５，４６に入賞可能となっている。また、振り分け入球領域６９内の第１アウト口５４〜５６は、振り分け入口５１を介して振り分け入球領域６９内に進入したにも拘わらず第１，第２始動入賞口４５，４６への入賞を逃した遊技球のみが通過可能となっている。
【００５４】
中央始動入賞ユニット１７の左右両側（即ち左第１アウト口５５、中央第１アウト口５４、右第１アウト口５６の３つの第１アウト口よりなる第１アウト口列に対する左右両側）には、図２，図３，図５〜図８，図１２等に示すように、ガイドレール１４に沿って第２アウト口９１，９２が夫々配置されている。これら第２アウト口９１，９２は、入賞口２９，４７，４９の何れにも入賞することなく、また振り分け入口５１にも入球することなく遊技領域１５の下流側まで流下してきた遊技球（アウト球）を遊技盤５の後側に案内するもので、例えば第３レール部材３５に一体的に設けられた第２アウト口部９３，９４により形成されている。もちろん、第２アウト口部９３，９４は第３レール部材３５と一体に形成してもよいし別体でもよい。
【００５５】
第２アウト口部９３，９４は、第３レール部材３５のレール面３５ａの後縁側から遊技盤５の前面側に沿う略板状に形成され且つ第２アウト口９１，９２が前向き開口状に形成された前飾り板９５と、第２アウト口９１，９２の縁部の少なくとも一部、例えば上及び左右の縁部に沿って後向きに延設された案内壁９６とを例えば一体に備えている。案内壁９６は、第２アウト口９１，９２の後部側と中央始動入賞ユニット１７の後部側とを分離して、第２アウト口９１，９２を通過する遊技球が中央始動入賞ユニット１７側に進入するのを防止する機能を有している。
【００５６】
また、第３レール部材３５のレール面３５ａには、例えば後ろ下がりの傾斜状に形成された第２アウト球案内部９７，９８が、第２アウト口９１，９２の前側に夫々対応して設けられている。入賞口２９，４７，４９の何れにも入賞することなく、また振り分け入口５１にも入球することなく中央始動入賞ユニット１７の側方まで流下してきた遊技球は、第２アウト球案内部９７，９８により後向きに案内されて第２アウト口９１，９２に流入し、装着孔６４を介して遊技盤５の後側に案内されるようになっている。
【００５７】
このように、中央始動入賞ユニット１７の側方まで流下してきた遊技球は、中央始動入賞ユニット１７の側壁６６，６７に阻まれて決して振り分け入球領域６９内に進入することはできず、全て第２アウト口９１，９２に案内される。即ち、中央始動入賞ユニット１７の左右の側壁６６，６７が、第２アウト口９１，９２側から第１，第２始動入賞口４５，４６側への遊技球の移動を規制する規制手段を構成しているため、振り分け入口５１を通過していない遊技球が第１，第２始動入賞口４５，４６に入賞することを確実に防止できる。
【００５８】
以上説明したように、本実施形態のパチンコ機は、遊技盤５の前側の遊技領域１５に、２つの第１，第２始動入賞口（特定入球口）４５，４６を含む入賞口（入球口）と、遊技球が通過可能な振り分け入口（通過口）５１と、遊技球を第１，第２始動入賞口４５，４６側にそれぞれ案内する２つの第１，第２遊技球案内通路（遊技球案内部）５２，５３と、振り分け入口５１を通過した遊技球を第１，第２遊技球案内通路５２，５３に振り分ける振り分け手段６０とを備え、第１，第２始動入賞口４５，４６を遊技領域１５の下縁部近傍に配置し、第１アウト口５４〜５６を第１，第２始動入賞口４５，４６それぞれの左右両側に配置しているため、第１，第２始動入賞口４５，４６の配置位置、即ち中央始動入賞ユニット１７の配置位置を遊技領域１５の下縁部近傍まで下げることができ、遊技領域１５をより有効に活用することが可能である。
【００５９】
また、第１アウト口５４〜５６よりなる第１アウト口列に対する左右両側に第２アウト口９１，９２をそれぞれ配置し、遊技領域１５における第２アウト口９１，９２と第１アウト口列との間に、第２アウト口９１，９２側から第１，第２始動入賞口４５，４６側への遊技球の移動を規制する規制手段としての側壁６６，６７を設けているため、振り分け入口５１を通過していない遊技球は確実に第２アウト口９１，９２に案内され、それらの遊技球が予定していない球跳ね等により第１，第２始動入賞口４５，４６に入賞することを確実に防止できる。
【００６０】
また、遊技領域１５内に振り分け入球領域６９を設け、その振り分け入球領域６９内に、振り分け手段６０、第１，第２遊技球案内通路５２，５３、第１，第２始動入賞口４５，４６、第１アウト口５４〜５６等を配置し、振り分け入口５１以外からの振り分け入球領域６９への遊技球の進入を阻止する進入阻止手段としての側壁６６，６７を設けているため、振り分け入口５１を通過していない遊技球が第１，第２始動入賞口４５，４６に入賞することをより確実に防止できる。
【００６１】
図１４は本発明の第２の実施形態を例示し、第１の実施形態を一部変更して、第２アウト口９１，９２を形成する第２アウト口部９３，９４を中央始動入賞ユニット（特定ユニット）１７に設けた例を示している。図１４に示すように、本実施形態の中央始動入賞ユニット１７には、例えば前装着体６２の左右両側に第２アウト口部９３，９４が例えば一体的に設けられている。このように、第２アウト口部９３，９４は第３レール部材３５側ではなく中央始動入賞ユニット１７側に設けてもよい。もちろん、第２アウト口部９３，９４は中央始動入賞ユニット１７と一体に形成してもよいし別体でもよい。
【００６２】
以上、本発明の実施形態について詳述したが、本発明はこれらの実施形態に限定されるものではなく、本発明の趣旨を逸脱しない範囲で種々の変更が可能である。例えば、振り分け入口（通過口）を通過した遊技球を振り分ける振り分け手段は、振り分け部材を電磁ソレノイド等の駆動手段により駆動可能に構成することにより、振り分け率を変更可能な構成としてもよいし、可動体よりなる振り分け部材を備えない構成としてもよい。
【００６３】
特定入球口は２つに限られるものではなく、３以上の特定入球口を設け、それに対応して３以上の遊技球案内部を設けてもよい。例えば３個の特定入球口を一列状に設けた場合、それら３個の特定入球口のそれぞれの左右に第１アウト口を配置するため、第１アウト口は少なくとも４つ必要である。
【００６４】
第２アウト口を形成する第２アウト口部は、例えばガイドレールを構成するレール部材、中央始動入賞ユニット（特定ユニット）とは別の部材、例えば中央始動入賞ユニット１７に隣接する大入賞ユニット１９、普通入賞ユニット２０等に設けてもよい。また、第２アウト口部を単独で遊技盤５に装着してもよい。
【００６５】
また本発明は、パチンコ機に限らず、アレンジボール機、雀球遊技機等の各種遊技機において同様に実施することが可能である。
【符号の説明】
【００６６】
５  遊技盤
１５  遊技領域
１７  中央始動入賞ユニット（特定ユニット）
２９  普通入賞口（入球口）
３５  第３レール部材（レール部材）
４５  第１始動入賞口（入球口，特定入球口）
４６  第２始動入賞口（入球口，特定入球口）
４７  大入賞口（入球口）
４９  入賞口（入球口）
５１  振り分け入口（通過口）
５２  第１遊技球案内通路（遊技球案内部）
５３  第２遊技球案内通路（遊技球案内部）
５４  中央第１アウト口（アウト口，第１アウト口）
５５  左第１アウト口（アウト口，第１アウト口）
５６  右第１アウト口（アウト口，第１アウト口）
６０  振り分け手段
６６  進入阻止手段（規制手段）
６７  進入阻止手段（規制手段）
６９  振り分け入球領域
９１  第２アウト口（アウト口）
９２  第２アウト口（アウト口）
９３  第２アウト口部
９４  第２アウト口部
【図１】
2017113392.tif 000003
【図２】
2017113392.tif 000004
【図３】
2017113392.tif 000005
【図４】
2017113392.tif 000006
【図５】
2017113392.tif 000007
【図６】
2017113392.tif 000008
【図７】
2017113392.tif 000009
【図８】
2017113392.tif 000010
【図９】
2017113392.tif 000011
【図１０】
2017113392.tif 000012
【図１１】
2017113392.tif 000013
【図１２】
2017113392.tif 000014
【図１３】
2017113392.tif 000015
【図１４】
2017113392.tif 000016